(57)【要約】【課題】煩雑な記録条件の設定操作の負担を軽減した記録装置を提供する。【解決手段】記録装置１に設けられている１ないし複数のメモリボックス１６に、それぞれＩＰアドレス及び記録条件が登録可能である。クライアント端末２では、例えば記録装置を選択するがごとく、記録装置１との通信を行うＩＰアドレスを選択し、記録出力の指示を行う。使用されたＩＰアドレスによって対応するメモリボックス１６が選択され、対応して登録されている記録条件１７に従って記録部１４から記録情報が記録出力される。クライアント端末２では、いちいち記録条件を設定しなくても、記録装置の選択と同様に記録条件を選択でき、その記録条件による記録出力を行うことができる。よって、ユーザによる記録条件の設定操作の負担を軽減することができる。【選択図】　図１
2004136554.tif 000002
【特許請求の範囲】
【請求項１】
ネットワークを通じて通信を行うインタフェースと、記録情報の記録出力を行う記録手段と、前記インタフェースで通信に用いる複数のＩＰアドレス及び記録条件を対応づけて記憶する記憶手段と、前記インタフェースでの通信時に用いたＩＰアドレスに対応する記録条件で記録情報を前記記録手段に記録させる制御手段を有することを特徴とする記録装置。
【請求項２】
前記記憶手段には前記インタフェースを介して受信した前記記録情報を格納するメモリボックスが設けられており、前記メモリボックスに前記ＩＰアドレス及び前記記録条件が対応づけられていることを特徴とする請求項１に記載の記録装置。
【請求項３】
前記制御手段は、前記記録情報に対して記録条件が付加されているとき、該記録条件が前記ＩＰアドレスに対応する記録条件と異なる場合に、設定に従っていずれかを優先することを特徴とする請求項１または請求項２に記載の記録装置。
【発明の詳細な説明】
【０００１】
【発明の属する技術分野】
本発明は、ＬＡＮなどのデータ交換ネットワークを通じて送られてくる記録情報を記録出力する記録装置に関するものである。
【０００２】
【従来の技術】
近年のネットワーク技術の発達とともに、ＬＡＮなどのデータ交換ネットワークに記録装置を接続し、多くのクライアント端末から共用するシステムが利用されている。このようなシステムで利用される記録装置には、予め設定しておくことによって、複数の記録情報を一時的に蓄積しておくことができるメモリボックスが設けられているものもある。
【０００３】
一般に、データ交換ネットワークに接続されている記録装置を利用する場合、クライアント端末において記録装置を特定するとともに、記録する際の種々の記録条件の設定をクライアント端末側に設けられているプリンタドライバで行ってから記録出力の指示を行う。設定可能な記録条件としては、例えば用紙サイズや倍率、片面かあるいは両面か、さらに応用機能として備えられている様々な機能について、利用するか否か及び利用する際に必要となる様々な設定などが含まれる。
【０００４】
これらの記録条件の中には、ユーザが通常の利用時に設定する記録条件がある程度決まっている場合がある。例えば、Ａ４縦の用紙で、２ページ分を１ページにまとめる２ｉｎ１機能を使用し、両面で記録出力するといった設定を、通常用いるといったことが行われている。このような場合、従来はユーザが記録出力を行うたびに、プリンタドライバでこれらの設定をいちいち行わなければならなかった。
【０００５】
プリンタドライバによっては、直前の設定を記憶している場合もある。これによって、同じ記録条件で連続して記録出力する場合には、２回目からはいちいち設定を変更しなくても記録出力することが可能である。しかし、同じクライアント端末を複数人で共用している場合や、同じユーザでも複数の記録条件を選択的に利用している場合などでは、同様にいちいち複雑な設定を毎回行わなければならず、煩雑な操作を強いられていた。
【０００６】
例えば特許文献１にはユーザ毎に記録条件を設定可能な装置が記載されている。しかし、このような装置では１人のユーザは１つしか記録条件の設定を行うことができず、同じユーザが複数の記録条件を選択的に利用するといった記録装置の利用ができない。また、同じ記録条件を複数のユーザが共用することもできない。そのため、利用形態が非常に制限されてしまうという問題があった。
【０００７】
【特許文献１】
特開２００１−３３７８０３号公報
【０００８】
【発明が解決しようとする課題】
本発明は、上述した事情に鑑みてなされたもので、煩雑な記録条件の設定操作の負担を軽減し、また自由度の高い記録装置を提供することを目的とするものである。
【０００９】
【課題を解決するための手段】
本発明は、ネットワークに接続されて用いられる記録装置であって、ネットワークを通じて通信を行うインタフェースと、記録情報の記録出力を行う記録手段と、前記インタフェースで通信に用いる複数のＩＰアドレス及び記録条件を対応づけて記憶する記憶手段と、前記インタフェースでの通信時に用いたＩＰアドレスに対応する記録条件で記録情報を前記記録手段に記録させる制御手段を有することを特徴とするものである。
【００１０】
このように本発明の記録装置では、複数のＩＰアドレスによる記録出力を受け付ける。一般にＩＰアドレスはそれぞれの装置に対応づけられることが多く、この場合には本発明の記録装置はクライアント端末などにとっては複数の記録装置として認識される。それぞれのＩＰアドレスに記録条件を対応づけることによって、それぞれの記録条件で記録を行う記録装置が存在するように振る舞うことができる。例えばクライアント端末から記録出力を行う場合には、所望の記録条件に対応する記録装置を選択し、記録出力の実行を指示する。クライアント端末で選択された記録装置に対応するＩＰアドレスを用いた通信が行われ、本発明の記録装置ではＩＰアドレスに対応した記録条件が選択されて記録情報の記録出力が行われる。従って、クライアント端末においていちいち記録条件を設定しなくても、記録装置の選択（ＩＰアドレスの選択）を行うだけで、設定されている記録条件による記録出力を行うことができ、ユーザが設定操作を行う負担を軽減することができる。
【００１１】
なお、例えば記憶手段にインタフェースを介して受信した記録情報を格納するメモリボックスが設けられている場合には、そのメモリボックスにＩＰアドレス及び記録条件を対応づけておくことができる。
【００１２】
また、記録情報に対して記録条件が付加されているときには、その記録条件がＩＰアドレスに対応する記録条件と異なる場合に、いずれかを優先するように構成したり、あるいは設定に従っていずれかを優先するように構成することができる。例えばＩＰアドレスに対応づけられている記録条件と多少異なる記録条件を設定する際に、その差分だけの設定を行えばよいように構成することもできる。これらの構成によって、ユーザによる記録条件の設定の自由度を増すことができる。
【００１３】
【発明の実施の形態】
図１は、本発明の記録装置の実施の一形態を示すブロック図である。図中、１は記録装置、２はクライアント端末、３はＬＡＮ、１１は制御部、１２は操作部、１３はインタフェース部、１４は記録部、１５は記憶部、１６はメモリボックス、１７は記録条件である。記録装置１は、ＬＡＮ３などのデータ交換ネットワークに接続されている。ＬＡＮ３には、記録装置１のほか、１ないし複数のネットワーク機器が接続されている。図１ではクライアント端末２を一例として図示している。
【００１４】
記録装置１は、この例では制御部１１、操作部１２、インタフェース部１３、記録部１４、記憶部１５等を含んで構成されている。制御部１１は、記録装置１全体を制御し、インタフェース部１３を通じて受け取った記録情報を記録部１４に記録させる制御を行う。このとき、インタフェース部１３で通信に用いたＩＰアドレスによってメモリボックス１６を選択し、記録情報を格納しておくことができる。メモリボックス１６に格納した記録情報は、即時に、あるいは操作部１２からの操作またはＬＡＮ３を通じて記録出力の指示を受けて、記録部１４から記録出力させる。記録出力の際には、メモリボックス１６に記録条件１７が設定されている場合には、その記録条件１７に従って記録出力させる。記録条件１７が設定されているとともに、記録情報に付加して記録条件が送られてきている場合には、自動的にいずれかを優先させたり、あるいは予めいずれを優先させるかを示す設定に従って、優先する記録条件に従った記録出力を実行する。設定可能な記録条件は様々であり、例えば用紙サイズや用紙方向、倍率、濃度設定、片面／両面、排出先などのほか、複数ページを１枚の用紙に集約して記録するＮｕｐ機能を利用するか否か及び集約ページ数、ソートするか否か、ステープル機能を利用するか否か及びステープル位置、パンチ機能を利用するか否か及びパンチ位置等、様々な条件がある。これらの条件を１つまたは複数個組み合わせて設定可能であり、制御部１１はこれらの機能を実現する。
【００１５】
操作部１２は、ユーザが各種の設定を行ったり、装置の状態を確認するためのユーザインタフェースである。例えばメモリボックス１６に対するＩＰアドレスの設定や、対応す記録条件１７の設定などを行うことができる。
【００１６】
インタフェース部１３は、ＬＡＮ３を通じて種々のネットワーク機器、例えばクライアント端末２等との通信を行い、記録情報の受信や各種の要求を受け、また種々の情報の提供を行う。インタフェース部１３は複数のＩＰアドレスを有しており、いずれを用いて通信することもできる。このＩＰアドレスは、ＬＡＮ３上の他のネットワーク機器と重複しないものとする。また、通信を行ったＩＰアドレスは制御部１１に伝えられる。
【００１７】
記録部１４は、制御部１１からの指示に従い、ＬＡＮ３を通じて受け取った記録情報や、内部情報等、様々な記録すべき情報の記録出力を行う。記録部１４には、複数の用紙カセットや、複数の排出先、両面記録機構、ステープル機構、パンチ機構、その他各種の機能を実現するための機構部分を有する構成とすることができる。もちろん、これらの機構は選択的に設けることもできるし、これらの機構を設けずに構成されていてもよい。なお、記録方式などは任意である。
【００１８】
記憶部１５は、装置内で記憶する必要のある様々な情報を記憶する。図１では、記録情報を格納するためのメモリ領域として１ないし複数のメモリボックス１６が設けられている。このメモリボックス１６には、それぞれＩＰアドレスが対応づけられている。また、それぞれのメモリボックス１６に対応する記録条件１７を記憶しておくことができる。これによってＩＰアドレスと記録条件１７が対応づけられている。さらに、記録情報とともに記録条件が送られてきた場合に、受信した記録条件とメモリボックス１６に対応する記録条件１７のいずれを選択するかを示す設定なども記憶しておくことができる。
【００１９】
メモリボックス１６は、記録情報を一時的に保持するために記憶部１５内に１ないし複数個設けられる。それぞれのメモリボックス１６には、各メモリボックス１６を特定するためのボックス番号やボックス名などの識別子が設定されるとともに、ＩＰアドレスが設定されている。もちろんこのほかにも種々の設定が可能なように構成してもよい。例えばメモリボックス１６を特定のユーザに限定して利用する場合には、利用するユーザを特定する情報を設定可能としてもよい。ユーザを特定する情報としては、ユーザ名やホスト名、クライアント端末のＩＰアドレスなどである。ユーザを特定する情報を設定せずに、複数のユーザでメモリボックス１６を共用するように構成してもよい。
【００２０】
記録条件１７は、それぞれのメモリボックス１６ごとに対応づけて記録条件を記憶する。記録条件１７としては、上述のように各種の機能に対する指示が挙げられる。もちろん、メモリボックス１６に対する記録条件１７の設定は任意であり、メモリボックス１６に記録条件１７を設定しなくてもよい。
【００２１】
なお、図１に示した構成は一例であって、さらに画像読取部を設けたコピー／プリンタ複合機として構成したり、さらにファクシミリ送受信機能を設けたファクシミリ複合機として構成することもできる。
【００２２】
次に、本発明の記録装置の実施の一形態における動作について、主にメモリボックス１６にＩＰアドレス及び記録条件１７を設定して記録出力させる場合の一例について説明してゆく。図２は、記録条件登録時の動作の一例を示すフローチャートである。ここではＩＰアドレス及び記録条件を登録する際には、記録装置１に設けられている操作部１２から操作するものとして説明してゆく。
【００２３】
操作部１２からメモリボックス１６への登録を開始する操作を行うと、図２に示す動作が開始される。Ｓ２１においてメモリボックス１６のうちのいずれかを選択する指示を受け付ける。例えばメモリボックス１６を特定する番号の入力を受け付けたり、例えばメモリボックス名を一覧表示し、その中から選択するように構成することができる。
【００２４】
ユーザによってメモリボックス１６の選択入力が行われたら、Ｓ２２において、当該メモリボックス１６に対する記録条件１７が新規登録か否かを判定する。新規登録であれば、Ｓ２３においてユーザが操作部１２を操作することによって、Ｓ２１で選択したメモリボックス１６へのＩＰアドレスの設定及び記録条件１７の設定を行い、登録の指示を行うことによって登録される。なお、登録するＩＰアドレスは、インタフェース部１３において通信可能なＩＰアドレスでなければならない。あるいは、ここで登録したＩＰアドレスがインタフェース部１３に設定されるように構成してもよい。また、ここでは他のメモリボックス１６に登録されているＩＰアドレスと異なるＩＰアドレスを登録するものとする。
【００２５】
Ｓ２１で選択されたメモリボックス１６に対して、既にＩＰアドレス及び記録条件１７が登録されている場合には、Ｓ２４において、選択されたメモリボックス１６に対して登録されているＩＰアドレスあるいは記録条件１７の内容を変更するか否かをユーザに問い合わせる。ユーザが変更を指示した場合には、Ｓ２３においてユーザによるＩＰアドレスの変更、あるいは、記録条件１７の設定登録を行う。記録条件１７の設定登録の際には、改めて記録条件１７の設定を行うほか、既に登録されている記録条件１７の内容を表示して、その状態から記録条件の変更を行うことができるように構成することもできる。なお、ＩＰアドレスについては、ここでは他のメモリボックス１６に登録されているＩＰアドレスと重複しないＩＰアドレスへの変更のみを受け付けるものとする。
【００２６】
Ｓ２３におけるＩＰアドレス及び記録条件の登録後、あるいはＳ２４においてＩＰアドレス及び記録条件１７の変更を行わないとユーザが指示した場合には、Ｓ２５において、メモリボックス１６に対するＩＰアドレス及び記録条件１７の登録処理を続けるか否かをユーザに問い合わせ、続行する場合にはＳ２１に戻って処理を繰り返す。ユーザが終了を指示した場合には、メモリボックス１６に対する記録条件１７の設定登録の処理を終了する。
【００２７】
このような処理によって、メモリボックス１６に対してＩＰアドレス及び記録条件１７の設定及び変更を行うことができる。なお、ここでは記録装置１の操作部１２からＩＰアドレス及び記録条件１７を設定するものとして説明したが、例えばクライアント端末２などからＬＡＮ３を介して記録装置へＩＰアドレス及び記録条件の登録要求を送り、登録できるような機能を搭載してもよい。
【００２８】
次に、上述のようにしてメモリボックス１６に対応づけてＩＰアドレス及び記録条件１７を登録した後、実際に記録出力を行う際の動作について説明する。一般にＩＰアドレスはそれぞれの装置に対応づけられることが多い。上述のように本発明の記録装置１は、複数のＩＰアドレスを有している。そのため、クライアント端末２などにとっては、記録装置１はあたかも機能が異なる複数の記録装置が存在するかのように扱われる。従って、クライアント端末２においては、記録装置１に記録出力を行わせるためのプリンタドライバをインストールする際に、それぞれのＩＰアドレス毎に、そのＩＰアドレスを指定してネットワークプリンタとしてインストールを行う。このとき、それぞれの記録装置の名称として、記録条件を表現する名称にしておくとよい。なお、それぞれ指定されたＩＰアドレスに対応づけて登録されている記録条件を記録装置１に問い合わせ、取得するように構成しておくとよい。
【００２９】
図３は、クライアント端末において記録出力を指示する際の動作の一例を示すフローチャートである。ユーザがアプリケーションなどから記録出力を指示すると、例えば記録出力のためのウィンドウが表示される。このウィンドウにおいて、ユーザはＳ３１において記録装置の選択を行う。上述のように、記録装置１においてメモリボックス１６に対してＩＰアドレス及び記録条件１７が登録されており、クライアント端末２ではそれぞれのＩＰアドレス及び記録条件１７ごとに記録装置として登録されている。従って、記録装置を選択するのと同様にして、記録装置１における所望の記録条件を選択することができる。このように、いちいち記録条件を設定しなくても、記録装置の選択という簡単な操作によって記録条件を指定することができる。
【００３０】
なお、Ｓ３２において詳細設定を行うか否かを判断し、記録装置１に登録されている記録条件をそのまま利用できない場合には、ユーザからの指示に従ってＳ３２からＳ３３へ進み、記録条件の詳細設定を行うことができる。詳細設定を行わない場合には、Ｓ３２の処理を行わずにＳ３４へ進む。
【００３１】
記録装置の選択操作によって記録条件を選択し、必要に応じて詳細設定を行ったら、ユーザは、記録出力の開始を指示する。Ｓ３４においてユーザによる開始の指示を判定し、開始の指示が行われたら、Ｓ３６において、選択された記録装置に対応するＩＰアドレスを用い、記録情報や必要に応じて記録条件などを記録装置１に転送し、記録出力を依頼する。
【００３２】
なお、Ｓ３４でユーザによる開始の指示を待つ間、Ｓ３５においてキャンセルの指示が行われたか否かも判定しており、キャンセルの指示が行われた場合には、記録出力の要求を行わずに処理を終了する。
【００３３】
図４は、記録出力動作の一例を示すフローチャートである。ここでは、図２に示すようにしてメモリボックス１６に対応づけてＩＰアドレス及び記録条件１７が登録されているものとする。また、記録情報とともに記録条件が送られてきた場合に、受信した記録条件とメモリボックス１６に対応づけて登録されている記録条件１７のいずれを優先するかを予め設定可能に構成されているものとする。
【００３４】
図３において説明したようにして、クライアント端末２において記録情報の記録出力の要求が行われ、これを記録装置１がＬＡＮ３を通じて受信すると、図４に示す記録出力動作が開始される。
【００３５】
記録装置１は、クライアント端末２から記録出力の要求を受けると、Ｓ４１において、クライアント端末２との通信で用いられたＩＰアドレス（クライアント端末２から指定されたＩＰアドレス）をインタフェース部１３から取得してメモリボックス１６に対応づけられているＩＰアドレスと照合し、用いられたＩＰアドレスがメモリボックス１６に対応づけられているものであるか否かを判定する。
【００３６】
通信に用いられたＩＰアドレスがメモリボックス１６に対応づけられていない場合には、Ｓ４２において、記録部１４において通常の記録出力動作を行う。この場合、記録情報とともに記録条件を受け取っているときには、その記録条件に従って記録出力を行うことになる。記録条件を受け取っていなければ、デフォルトの記録条件によって記録出力することになる。
【００３７】
通信に用いられたＩＰアドレスがメモリボックス１６に対応づけられているものである場合には、そのＩＰアドレスが対応づけられているメモリボックスを選択し、必要に応じて受信した記録情報を選択したメモリボックス１６に格納する。そして、選択したメモリボックス１６に対応する記録条件１７を参照する。Ｓ４３において、記録情報とともに受け取った記録条件が、選択したメモリボックス１６に対応する記録条件１７と一致するか否かを判定する。一致する場合には、Ｓ４４において、その一致した記録条件に従って記録出力を実行する。
【００３８】
なお、記録情報に記録条件が付加されていない場合や、メモリボックス１６に記録条件１７が登録されていない場合には、記録条件が一致したものとして扱う。そして、記録情報に記録条件が付加されていない場合には、選択されたメモリボックス１６に対応して登録されている記録条件１７に従って記録出力を実行する。また、メモリボックス１６に記録条件１７が登録されていない場合には、記録情報とともに受け取った記録条件に従って記録出力を実行すればよい。さらに、メモリボックス１６に記録条件１７が登録されおらず、かつ、記録情報にも記録条件が付加されていなかった場合には、デフォルトの記録条件に従って記録出力を実行すればよい。
【００３９】
記録情報とともに受け取った記録条件と選択したメモリボックス１６に対応する記録条件１７とが一致しない場合には、いずれを優先するかを指示する設定を参照する。Ｓ４５において、その設定が記録情報とともに受け取った記録条件を優先する設定であると判断される場合には、Ｓ４６において、記録情報とともに受け取った記録条件に従って記録出力を実行する。
【００４０】
またＳ４７において、設定がメモリボックス１６に対応する記録条件１７を優先する設定であると判断される場合には、Ｓ４８において、選択したメモリボックス１６に対応して登録されている記録条件１７に従って記録出力を実行する。
【００４１】
上述のようないずれの記録条件を優先するかが設定されていない場合には、ユーザに対して指示を仰ぐ。ユーザによる指示は、ここでは、いずれの記録条件で出力するかの指示か、あるいは記録出力のキャンセルである。ユーザによる指示は、例えば制御部１１，あるいは、ＬＡＮ３を介してクライアント端末２から行うことができる。Ｓ４９において、記録出力のキャンセルが指示されたか否かを判定し、キャンセルが指示された場合には、受け取った記録情報及び付加されていた情報を削除して記録出力せずに処理を終える。また、Ｓ５０において、記録情報とともに受け取った記録条件での記録出力が指示された場合には、Ｓ５１において、記録情報とともに受け取った記録条件に従って記録出力を実行する。メモリボックス１６に対応する記録条件１７を優先する指示が行われた場合には、Ｓ５２において、メモリボックス１６に対応する記録条件１７に従って記録出力を実行する。
【００４２】
このような処理によって、クライアント端末２からの通信で使用されたＩＰアドレスによってメモリボックス１６を選択するとともに、対応して登録されている記録条件１７によって記録出力を行うことができる。また、記録情報とともに受け取った記録条件を優先する設定を行っておけば、メモリボックス１６に対応づけてある記録条件１７以外の記録条件で記録出力させたい場合には、記録出力を要求する際に改めて記録条件の詳細設定を行えばよく、行った設定条件に従って記録出力を行わせることができる。逆に、メモリボックス１６に対応する記録条件１７を優先する設定にしておけば、不用意な設定ミスを防止し、常にメモリボックス１６に対応して登録されている記録条件１７に従って記録出力させることができる。また、クライアント端末２によっては、ユーザが記録条件の設定を行わなくても記録情報に記録条件を付加して送信してしまう場合があり、そのような場合にメモリボックス１６に対応づけてある記録条件１７がキャンセルされるのを防止することができる。
【００４３】
なお、記録情報とともに記録条件が送られてきた場合に、受信した記録条件とメモリボックス１６に対応づけて登録されている記録条件１７のいずれを優先するかの設定は、記録装置１単位で設定するほか、メモリボックス１６ごとに設定できるように構成することができる。また、記録条件とともにクライアント端末２側から送信するように構成してもよい。もちろん、記録情報とともに受け取った記録条件、あるいは、指定されているメモリボックス１６に対応する記録条件１７のいずれか一方を装置において自動的に選択するように構成してもよい。
【００４４】
また、上述の説明では、記録情報とともに受け取った記録条件が、選択したメモリボックス１６に対応する記録条件１７と一致しない場合には、いずれかの記録条件を選択して使用することとしたが、例えばいずれの記録条件においても、あえてユーザが指定しない条件については他の記録条件で指定されていればその条件に従うこととし、記録条件を合成するように構成してもよい。この場合も、記録情報とともに受け取った記録条件及び選択したメモリボックス１６に対応する記録条件１７中でいずれもユーザが指定している機能については、上述のように設定に従っていずれかを選択するように構成すればよい。
【００４５】
上述の動作の説明では、ＩＰアドレスによって選択したメモリボックス１６に記録情報を格納するものとしたが、メモリボックス１６が選択されても、例えば即時に記録出力する場合には、あえてメモリボックス１６への格納を行わなくてもよい。逆に、メモリボックス１６に記録情報を格納する場合には、すぐに記録出力をしなくてもよく、例えば記録条件の一つとしてユーザが操作部１２から記録出力を指示した場合に記録出力する条件を付加しておくことができる。これによって、記録出力時にはユーザが記録装置１の近くにいるため、記録出力された記録紙の機密性を向上させることができる。
【００４６】
また、上述の動作の説明では、メモリボックス１６に登録するＩＰアドレスは重複しないものとして説明した。しかしこれに限らず、複数のメモリボックス１６に対して同じＩＰアドレスの登録を許し、その代わりに、例えばユーザに関する情報など、他の情報によってメモリボックス１６の１つを決定できるように構成してもよい。またユーザに関する情報の登録によって、それぞれのメモリボックス１６及び対応づけて登録されている記録条件１７の利用をユーザ毎に制限することが可能である。
【００４７】
さらに、例えばクライアント端末２にインストールされるデバイスドライバに登録するＩＰアドレスを、例えば部門毎に変更するなど、それぞれのクライアント端末毎に管理することによって、クライアント端末毎に利用機能を制限したり、あるいはグループ管理などに利用することもできる。
【００４８】
上述の説明では、メモリボックス１６にＩＰアドレス及び記録条件を対応づけて設定するものとして説明した。しかし本発明はこれに限らず、メモリボックス１６を用いずに対応表などによってＩＰアドレスと記録条件を対応づけて登録しておいても、同様の装置を実現することが可能である。また、記録条件を同じとしておいて使用されるＩＰアドレスの違いによって、記録装置の利用管理を行うことも可能である。
【００４９】
【発明の効果】
以上の説明から明らかなように、本発明によれば、ＩＰアドレスと記録条件を対応づけているので、クライアント端末では記録装置を切り換える等の操作だけで所望の記録条件による記録出力が可能であり、記録条件をいちいち設定する手間を省き、利便性を向上させることができるという効果がある。もちろん、ＩＰアドレスに対応づけて設定した記録条件と異なる記録条件での記録出力も可能であり、いずれを優先するかについても設定可能に構成することによって自由度を広げることができる。また種々の利用形態にも対応することが可能である。
【図面の簡単な説明】
【図１】本発明の記録装置の実施の一形態を示すブロック図である。
【図２】記録条件登録時の動作の一例を示すフローチャートである。
【図３】クライアント端末において記録出力を指示する際の動作の一例を示すフローチャートである。
【図４】記録出力動作の一例を示すフローチャートである。
【符号の説明】
１…記録装置、２…クライアント端末、３…ＬＡＮ、１１…制御部、１２…操作部、１３…インタフェース部、１４…記録部、１５…記憶部、１６…メモリボックス、１７…記録条件。
【図１】
2004136554.tif 000003
【図２】
2004136554.tif 000004
【図３】
2004136554.tif 000005
【図４】
2004136554.tif 000006